(57)【要約】【課題】  排泄された大便の重量が小さくても大便の重量を簡便かつ正確に計量することが可能な便器装置を提供する。【解決手段】  便器装置１０には、便器１１内に排出される大便の重量を測定する計重器１２が配置され、計重器１２の受け皿２６は、大便の重量測定時にその表面を水平に保ち、不使用時には一側を基準にして回動して下向きとなって、受け皿２６は、その全部又は主要部が便器１１下部の溜水３５内に浸漬しており、計重器１２には使用時に零点調整を行う信号入力手段、計量した大便の量を出力する信号出力手段、及び信号出力手段の出力を受けてその測定量を表示する表示器３４を便器１１外に備えている。【選択図】        図２
2006125090.tif 000002
【特許請求の範囲】
【請求項１】
便器内に、この便器の使用時に排出される大便の重量を測定する計重器を配置したことを特徴とする便器装置。
【請求項２】
請求項１記載の便器装置において、大便を載せて測定する前記計重器の受け皿は、大便測定時にその表面を水平に保ち、前記計重器の不使用時には一側を基準にして回動して下向きとなっていることを特徴とする便器装置。
【請求項３】
請求項２記載の便器装置において、前記便器は洋式便器であって、前記計重器の不使用時には前記受け皿は、その全部又は主要部が前記便器下部の溜水内に浸漬していることを特徴とする便器装置。
【請求項４】
請求項１記載の便器装置において、前記便器は洋式便器であって、大便を載せて測定する前記計重器の受け皿は、前記便器内を昇降し、前記計重器の使用時には前記受け皿が前記便器内の溜水の上に位置し、常時は前記受け皿が前記便器内の溜水内に水没していることを特徴とする便器装置。
【請求項５】
請求項１記載の便器装置において、前記便器は和式便器であって、便受け部の底面に、受け皿を有する前記計重器が設けられていることを特徴とする便器装置。
【請求項６】
請求項５記載の便器装置において、前記受け皿は、前記便器内を昇降し、常時は前記便受け部の底部と実質同一平面となって、前記計重器の使用時に前記便受け部の底部から上昇することを特徴とする便器装置。
【請求項７】
請求項１〜６のいずれか１項に記載の便器装置において、前記計重器には使用時に零点調整を行う信号入力手段が設けられていることを特徴とする便器装置。
【請求項８】
請求項１〜７のいずれか１項に記載の便器装置において、前記計重器には計量した大便の量を出力する信号出力手段が設けられていることを特徴とする便器装置。
【請求項９】
請求項８記載の便器装置において、前記信号出力手段の出力を受けてその測定量を表示する表示器を前記便器外に備えることを特徴とする便器装置。
【請求項１０】
洋式便器の便座下部に設けられた第１の計重器と、
前記洋式便器の前側床面に設けられた第２の計重器と、
スタート信号と完了信号によって前記第１及び第２の計重器で測定された合計重さの差分を表示する制御手段とを有することを特徴とする便器装置。
【請求項１１】
和式便器の両側に設けられた第１及び第２の計重器と、
スタート信号及び完了信号によって前記第１及び第２の計重器で測定された合計重さの差分を表示する制御手段とを有することを特徴とする便器装置。
【発明の詳細な説明】
【技術分野】
【０００１】
本発明は、排泄した大便の重量を計測する便器装置に関する。
【背景技術】
【０００２】
従来、洋式便器のトラップ部に重量検出装置を設けて、トラップ部に大便が受容された際の重量変化から排泄された大便の重量を計量する排泄量測定装置が提案されている（例えば、特許文献１参照）。また、洋式便器の基部前方に近接させて重量測定装置を配置し、排泄の前後に測定した体重の変化から排泄された大便の重量を求めるトイレ減量体重計が提案されている（例えば、特許文献２参照）。更に、洋式便器の便座内に圧力センサを設け、排泄の前後の圧力センサからの信号値の変化から排泄された大便の重量を求める便座装置が提案されている（例えば、特許文献３参照）。
【０００３】
【特許文献１】特開平８−２９９３４８号公報
【特許文献２】特開平１１−２７１１３６号公報
【特許文献３】特開２０００−２５４０４２号公報
【発明の開示】
【発明が解決しようとする課題】
【０００４】
しかしながら、特許文献１に記載された発明では、水を貯留した状態のトラップ部の重量が計量可能な重量検出装置を使用しているため、排泄された大便の重量が水を貯留した状態のトラップ部の重量に比較して軽過ぎると、トラップ部の重量変化が小さく、計量誤差が大きくなるという問題がある。
また、特許文献２及び３に記載された発明では、大便の排泄前後の体重の変化量から大便の重量を求めるため、排泄された大便の重量が体重に比較して軽過ぎる場合は体重の重量変化が小さく、特許文献１に記載された発明の場合よりも計量誤差が大きくなるという問題がある。更に、特許文献２に記載された発明では、体重を測定する際、必ず便座から腰を浮かす必要があるため、測定が煩わしくなるという問題も生じる。
【０００５】
本発明はかかる事情に鑑みてなされたもので、排泄された大便の重量が小さくても大便の重量を簡便かつ正確に計量することが可能な便器装置を提供することを目的とする。
【課題を解決するための手段】
【０００６】
第１の発明に係る便器装置は、便器内に、この便器の使用時に排出される大便の重量を測定する計重器を配置している。
【０００７】
第２の発明に係る便器装置は、洋式便器の便座下部に設けられた第１の計重器と、
前記洋式便器の前側床面に設けられた第２の計重器と、
スタート信号と完了信号によって前記第１及び第２の計重器で測定された合計重さの差分を表示する制御手段とを有している。
【０００８】
第３の発明に係る便器装置は、和式便器の両側に設けられた第１及び第２の計重器と、
スタート信号及び完了信号によって前記第１及び第２の計重器で測定された合計重さの差分を表示する制御手段とを有している。
【発明の効果】
【０００９】
第１の発明に係る便器装置においては、便器内に大便の重量を測定する計重器を配置するので、排泄された大便の重量を直接測定することができ、排泄された大便の重量が小さくても大便の重量を簡便かつ正確に計量することが可能になる。
特に、大便を載せて測定する計重器の受け皿を大便測定時にその表面を水平に保つ場合は、受け皿に載置された大便が滑落するのを防止でき、排泄された大便の重量を確実に測定することが可能になる。また、受け皿を計重器の不使用時に一側を基準にして回動して下向きとする場合は、受け皿に載置された大便を受け皿から溜水中に滑落させることができ、大便を容易に便器内から排出することが可能になる。
【００１０】
便器が洋式便器であって、計重器の不使用時には受け皿の全部又は主要部が便器下部の溜水内に浸漬される場合は、大便の重量測定が終了すると大便を便器下部の溜水内に浸漬することができ、便器から大便を容易に排出することができる。また、使用後の受け皿に付着した大便を便器内の溜水中に分散させることができ、受け皿の表面を清浄な状態に保持することが容易になると共に、小便の排泄時に支障がないようにできる。
便器が洋式便器であって、大便を載せて測定する計重器の受け皿が便器内を昇降し、計重器の使用時には受け皿が便器内の溜水の上に位置する場合は、大便が便器内の溜水中に分散するのを防止でき、大便の重量を正確に測定することができる。また、常時（測定を行わないときに）受け皿を便器内の溜水内に水没させる場合は、計重器の使用後の受け皿に付着した大便を便器内の溜水中に分散させることができ、受け皿の表面を清浄な状態に保持することが容易になると共に、小便の排泄時に支障がないようにできる。
【００１１】
便器が和式便器であって、便受け部の底面に、受け皿を有する計重器が設けられている場合は、排泄された大便を受け皿上に載置することができ、排泄された大便の重量を正確に計量することが可能になる。
また、受け皿が便器内を昇降し、常時は便受け部の底部と実質同一平面となって、使用時に便受け部の底部から上昇する場合は、大便の重量を測定する際は排泄された大便を確実に受け皿で保持することができ、大便の重量を正確に測定することが可能になると共に、重量測定後は大便を便器から容易に排出することが可能になる。
【００１２】
更に、計重器に、使用時に零点調整を行う信号入力手段が設けられている場合は、受け皿に大便が付着していても排泄された大便の重量を正確に測定することが可能になる。
計重器に、計量した大便の量を出力する信号出力手段が設けられている場合は、例えば、記録計を設けることにより大便の排泄量の経時変化を記録することができ、記録を確認することで健康状態の変化を容易に把握することが可能になる。
信号出力手段の出力を受けてその測定量を表示する表示器が便器外に備えられている場合は、排泄された大便の重量を直ちに知ることができ、その場で健康状態を確認することが可能になる。
【００１３】
第２及び第３の発明に係る便器装置においては、体重を２つの計重器で支えながら測定することができ、各計重器の測定感度を向上させることが可能になる。その結果、排泄された大便の重量が体重に比較して軽くても、大便の排泄前後の体重の変化量を正確に求めることができ、大便の重量を正確に求めることが可能になる。
更に、計量開始を示すスタート信号及び計量終了を示す完了信号の出力時にそれぞれ測定を行って重量差を算出するので、洋式便器では便座に着座した状態で、和式便器ではしゃがんだままの状態で体重の変化を測定することができ、簡便に大便の重量を測定することが可能になる。
【発明を実施するための最良の形態】
【００１４】
続いて、添付した図面を参照しつつ、本発明を具体化した実施の形態につき説明し、本発明の理解に供する。
ここで、図１は本発明の第１の実施の形態に係る便器装置の側断面図、図２は同便器装置の平面図、図３は本発明の第２の実施の形態に係る便器装置の側断面図、図４は同便器装置の平面図、図５は本発明の第３の実施の形態に係る便器装置の側断面図、図６は同便器装置の平面図、図７は本発明の第４の実施の形態に係る便器装置の側面図、図８は本発明の第５の実施の形態に係る便器装置の側断面図、図９は同便器装置の平面図である。
【００１５】
図１、図２に示すように、本発明の第１の実施の形態に係る便器装置１０は、便器の一例である洋式便器１１と、洋式便器１１内に設けられ使用時に排出される大便の重量を測定する計重器１２を有している。以下これらについて、詳細に説明する。
洋式便器１１は、リム通水路１３が設けられた便鉢１４と、便鉢１４の下部の便鉢排出口１５に連通して一体的に設けられた実質的にＳ字形状のトラップ部１６と、トラップ部１６の下流端部に連通して一体的に設けられたトラップ接続管１７を有している。そして、トラップ接続管１７の下流端部１８は排出配管１９に接続されている。また、便鉢１４の背面側には、リム通水路１３及び便鉢１４内に洗浄水を供給する導水部２０が、リム通水路口２１及び便鉢口２２に連通して形成され、導水部２０の上流側には図示しない水タンクに直結する洗浄水流入口２３が形成されている。
【００１６】
計重器１２は、排出される大便を受けてその重量を測定する計重部２４と、計重部２４を操作して大便の重量測定、測定値の表示、及び記録を行う操作部２５を有している。
計重部２４は、排出される大便を受ける受け皿２６と、受け皿２６の下部に当接して受け皿２６を支持して大便の重量を測定する重量測定手段２７と、重量測定手段２７で支持される受け皿２６の表面を使用時（大便の重量測定時）に水平に保ち、計重器１２の不使用時には、受け皿２６の一側（図１ではトラップ部１６側）を基準にして回動させて下向きにする受け皿回動手段２８を有している。
【００１７】
ここで、重量測定手段２７は、例えば、受け皿２６を便鉢１４の中央背面側の位置に保持して排泄される大便が容易に受け皿２６内に受容されるように便鉢１４内で受け皿２６を支持する支持部材２９と、支持部材２９の表層部に設けられ受け皿２６により支持部材２９の表面に加えられる圧力を検知する圧力センサを備えた圧力検出器３０を有している。また、受け皿回動手段２８は、便鉢１４の内側でその幅方向の中央部に設けられて支持部材２９の一端側を片持ち状態で支えるアーム部材３１と、一方側がアーム部材３１の基側に固定され他方側が便鉢１４の側壁を貫通して外部に突出する回動軸３２と、回動軸３２の他方側に接続され回動軸３２を回動するモータ（図示せず）と、モータを収納する収納箱３３を有している。
【００１８】
操作部２５は、重量測定手段２７の圧力検出器３０からの出力信号を受信して重量値に換算して重量信号を出力する機能を備えた信号出力手段（図示せず）と、計重器１２の使用開始直後に圧力検出器３０から信号出力手段に入力された出力信号を電気的にキャンセルして測定時の基準値を決定する零点調整を行う機能を備えた信号入力手段（図示せず）と、測定時に信号出力手段から出力される重量信号を受けてその重量値を表示する表示器３４を備えている。なお、信号出力手段にはカレンダーと時計機能が設けられ、指定された重量値に対する重量信号を測定年月日及びユーザー識別記号と共に記録する記録部を備えている。
【００１９】
更に、操作部２５は、使用時に、アーム部材３１を介して受け皿２６の表面を便鉢１４内の溜水３５の水面よりも上方の位置に露出させて水平に保たれるように、不使用時（大便の重量測定を行わない時）には、アーム部材３１を回動軸３２を基準にして回動させて下向きにして受け皿２６の全部が便鉢１４内の溜水３５内に浸漬されるように、回動軸３２の回動操作信号をモータに向けて出力する機能を備えた回動操作手段（図示せず）を備えている。なお、圧力検出器３０は、支持部材２９、アーム部材３１、及び回動軸３２の各内部を通過して収納箱３３から取り出された信号ケーブル３６を介して操作部２５の信号出力手段と接続しており、また、受け皿回動手段２８に設けられたモータは操作部２５の回動操作手段と操作信号ケーブル３６ａで接続されている。
【００２０】
操作部２５には、操作部２５、圧力検出器３０、及びモータへ電力を供給して測定待機状態にする電源入りスイッチ３７と、操作部２５、圧力検出器３０、及びモータへの電力供給を停止する電源切りスイッチ３８と、使用時に受け皿２６の表面が便鉢１４内の溜水３５の水面よりも上方の位置で水平に保たれるように受け皿回動手段２８を駆動すると共に、圧力検出器３０の零点調整を行って測定を開始する測定開始スイッチ３９が設けられている。また、操作部２５には、表示器３４に表示されている重量値をロックし、受け皿２６の全部が便鉢１４内の溜水３５内に浸漬されるように受け皿回動手段２８を駆動させる測定完了スイッチ４０が設けられている。
【００２１】
更に、操作部２５には、ユーザー識別記号を指定して表示器３４にロックされた重量値に相当する重量信号を測定年月日と共に信号出力手段の記録部に入力するデータ保存スイッチ４１と、信号出力手段の記録部に保存されているデータを順次呼び出す再表示スイッチ４２が設けられている。ここで、表示器３４にロックされた重量値はタイマーにより、例えば、測定完了スイッチ４０がオンされてから一定時間経過するとリセットされるように、あるいは、測定開始スイッチ３９がオンされると強制的にリセットされるようにする。また、データ保存スイッチ４１で指定するユーザー識別記号は予め信号出力手段に入力しておく。
【００２２】
次に、本発明の第１の実施の形態に係る便器装置１０の使用方法について説明する。
先ず、洋式便器１１に着座し、操作部２５の電源入りスイッチ３７をオンする。これによって、操作部２５（信号入力手段、信号出力手段、及び表示器３４）、圧力検出器３０、及びモータへの電力の供給が開始され便器装置１０は測定待機状態になる。なお、電源入りスイッチ３７を常時オンの状態にしておいてもよい。この場合は、便座に着座した際の電源入りスイッチ３７をオンする動作は不要になる。
次いで、測定開始スイッチ３９をオンする。これによって、受け皿回動手段２８が駆動して、便鉢１４内の溜水３５内に浸漬されている受け皿２６が回動して溜水３５の水面よりも上方の位置まで移動し、受け皿２６の表面を溜水３５から露出させて水平に保持する。そして、信号入力手段は圧力検出器３０から信号出力手段に入力された出力信号値を検知し、この出力信号値を電気的にキャンセルするキャンセル信号を信号出力手段に入力して、信号出力手段から出力される出力信号の値を０とする零点調整を行う。その結果、表示器３４に表示される数値は０となる。
【００２３】
排泄された大便は、受け皿２６に受容される。大便が受け皿２６に受容されると、受け皿２６全体としての重量は大便の重量分だけ増加するため、受け皿２６の下面を支持する支持部材２９の表面に加わる圧力が増加する。この圧力の上昇値は圧力検出器３０で検知され、圧力検出器３０からは圧力の上昇値を含んだ出力信号が信号出力手段に入力される。信号出力手段では入力された出力信号から大便の重量に相当する圧力変化を求め、この圧力変化量を重量値に換算して重量信号を表示器３４に出力し、表示器３４には重量値が表示される。ここで、大便の重量を正確に測定するには、受け皿２６には大便のみが受容されるようにする必要がある。このため、誤って受け皿２６内に小便が排泄された場合にも大便の重量測定が正しく行われるように、誤って受容された小便を排出させる孔を受け皿２６の底部に複数個設けたり、受け皿２６の底部を金網（例えば、網目間隔が１〜５ｍｍ）で構成するようにするのがよい。
【００２４】
大便の排泄が終了すると、測定完了スイッチ４０をオンする。測定完了スイッチ４０がオンされると、その時点で表示器３４に表示されていた重量値がロックされる。このため、表示器３４の表示値から排泄された大便の重量を知ることができる。更に、受け皿回動手段２８が駆動してアーム部材３１が回動軸３２を基準にして下向きになるように回動し、大便を受容している受け皿２６が支持部材２９と共に便鉢１４内の溜水３５内に浸漬される。これによって、受け皿２６内に受容された大便を溜水３５中に滑落させることができる。そして、洗浄水流入口２３から導水部２０に洗浄水を導きリム通水路口２１及び便鉢口２２を介してリム通水路１３及び便鉢１４に供給することにより、大便を小便と共に便鉢１４の便鉢排出口１５からトラップ部１６及びトラップ接続管１７を介して排出配管１９に排出することができる。また、表示器３４にロックされた重量値を保存する必要がある場合は、データ保存スイッチ４１を操作して、ユーザー識別記号を指定し、表示器３４にロックされた重量値に相当する重量信号を測定年月日及びユーザー識別記号と共に信号出力手段の記録部に入力する。
【００２５】
測定完了後では、受け皿２６を便鉢１４内の溜水３５中に浸漬状態としているので、使用後の受け皿２６に付着した大便を便鉢１４内の溜水３５中に分散させることができ、受け皿２６の表面を清浄な状態に保持することが容易になる。また、再表示スイッチ４２をオンすると、信号出力手段の記録部に保存されているデータが順次呼び出され、測定年月日及びユーザー識別記号と共に表示器３４に再表示される。これにより、以前の大便の排泄量を知ることができ、健康状態の確認を行うことができる。
なお、大便の排泄時に大便の重量測定を行わない場合や小便の排泄を行う場合では、測定開始スイッチ３９の操作を行わない。このときは、受け皿２６は便鉢１４内の溜水３５内に完全に浸漬している状態になっているので、通常の洋式便器と同一の方法で使用することができる。
【００２６】
図３、図４に示すように、本発明の第２の実施の形態に係る便器装置４３は、第１の実施の形態に係る便器装置１０と比較して、計重器４４の計重部４５の構成が異なっていることが特徴となっている。このため、第１の実施の形態に係る便器装置１０と同一の構成部材については同一の符号を付し、計重部４５についてのみ詳細に説明する。
計重部４５は、排出される大便を受ける受け皿４６と、受け皿４６の下部に当接して設けられた重量測定手段４７と、重量測定手段４７を介して受け皿４６の表面を大便の重量測定時に水平にして溜水３５の水面より上に保持し、常時は受け皿４６を溜水３５内に水没させた状態で保持する受け皿昇降手段４８を有している。
【００２７】
重量測定手段４７は、例えば、受け皿４６を便鉢１４の中央背面側の位置に保持して排泄される大便が容易に受け皿４６内に受容されるように便鉢１４内で受け皿４６の下面を支持する支持部材４９と、支持部材４９の表層部に設けられ支持部材４９の表面に加えられる圧力を検知する圧力センサを備えた圧力検出器５０を有している。また、受け皿昇降手段４８は、支持部材４９の背面側中央に一端側が固定され他端側が便鉢１４の底部をシール部材５１を介して貫通して外部に突出する支持軸５２と、支持軸５２の他端部に接続され支持軸５２を軸方向に進退させる、例えば、モータとギアで構成された進退機構（図示せず）と、進退機構を収納する収納箱５３を有している。そして、収納箱５３の側部にはつば部５４が形成され、便鉢１４の底部外側にシール部材５１を囲うように設けられた取付け部材５５の端部につば部５４を当接させ、締結部材の一例であるねじ５６を用いて固定している。
【００２８】
なお、圧力検出器５０は、支持部材４９及び支持軸５２の各内部を通過して収納箱５３から取り出された信号ケーブル３６を介して操作部２５の信号出力手段と接続しており、受け皿昇降手段４８に設けられたモータは操作部２５の回動操作手段と操作信号ケーブル３６ａで接続されている。
また、本発明の第２の実施の形態に係る便器装置４３の使用においては、第１の実施の形態に係る便器装置１０と比較して、測定開始スイッチ３９をオンした際に、受け皿昇降手段４８が駆動して、便鉢１４内の溜水３５内に浸漬されている受け皿４６が支持軸５２により持ち上げられて溜水３５の水面よりも上方の位置まで移動すること、及び、測定完了スイッチ４０をオンした際に、受け皿昇降手段４８が駆動して支持軸５２が下降し大便を受容している受け皿４６が支持部材４９と共に便鉢１４内の溜水３５内に浸漬されることが異なるだけで、それ以外の動作は実質的に第１の実施の形態に係る便器装置１０の場合と同一である。このため、第２の実施の形態に係る便器装置４３の使用方法に関する説明は省略する。
【００２９】
図５、図６に示すように、本発明の第３の実施の形態に係る便器装置５７は、上方側が開口した便受け部５８と、便受け部５８の一方側と連通し下部に排出口５９が形成され上部にカバー部材６０が設けられた排出部６０ａを備えた便器の一例である和式便器６１を有している。更に、便器装置５７は、和式便器６１の便受け部５８の底面に設けられ、大便の重量を測定する際に便受け部５８の底部から上昇して排泄される大便を受容しその重量を検出し、常時は便受け部５８の底部と実質同一平面となる受け皿６２を備えた計重器６３を有している。そして、便受け部５８の他端側の中央部には便受け部５８内に洗浄水を供給する導水口６４が設けられ、導水口６４には図示しない水タンクに直結する導水配管６５が接続され、排出口５９は排出配管６６に接続されている。
【００３０】
計重器６３は、受け皿６２を和式便器６１の便受け部５８内で昇降させると共に受容した大便の重量を検出する計重部６７と、計重部６７を操作して大便の重量測定、測定値の表示、及び記録を行う操作部６８を有している。ここで、計重部６７の構成は第２の実施の形態に係る便器装置４３の計重部４５と同一の構成とすることができ、操作部６８は第１の実施の形態に係る便器装置１０の計重部２５と同一の構成とすることができる。このため、同一の構成部材には同一の符号を付して詳細な説明は省略する。なお、和式便器６１を設置する際には、便受け部５８の中間部の外側にピット６９を形成し、このピット６９内にシール部材５１を囲うように設けられた取付け部材５５を突出させ、この取付け部材５５の端部にねじ５６を介して収納箱５３を固定する。
【００３１】
また、本発明の第３の実施の形態に係る便器装置５７の使用においては、第１の実施の形態に係る便器装置１０と比較して、測定開始スイッチ３９をオンした際に、受け皿昇降手段４８が駆動して、便受け部５８の底部と実質同一平面となっている受け皿６２が支持軸５２により持ち上げられて、便受け部５８に貯留されている溜水の水面から受け皿６２が露出する位置まで移動すること、及び、測定完了スイッチ４０をオンした際に、受け皿昇降手段４８が駆動して支持軸５２が下降し大便を受容している受け皿６２の上面が便受け部５８の底部と実質同一平面となる位置まで下降することが異なるだけで、それ以外の動作は実質的に第１の実施の形態に係る便器装置１０の場合と同一である。このため、第３の実施の形態に係る便器装置５７の使用方法に関する説明は省略する。
なお、大便を便受け部５８から排出部６０ａを介して排出するには、大便を受容している受け皿６２の上面を便受け部５８の底部と実質同一平面となる位置まで下降させてから行う。このとき、受け皿６２を下降する際に受容している大便が受け皿６２から滑落すると、大便が便受け部５８の底面と受け皿６２を支持する支持部材４９の背面との間に巻き込まれることがある。このため、定期的に測定開始スイッチ３９をオンして受け皿６２を上昇させて便受け部５８の底面と支持部材４９の背面との間に隙間を設け、この状態で便受け部５８に洗浄水を供給し、便受け部５８の底面と支持部材４９の背面を洗浄することが好ましい。
【００３２】
図７に示すように、本発明の第４の実施の形態に係る便器装置７０は、便器の一例である洋式便器７１の便座７２の下部に設けられた第１の計重器７３と、洋式便器７１の前側床面に設けられた第２の計重器７４と、スタート信号によって第１及び第２の計重器７３、７４によって測定される測定開始時の各重量の合計重量を算出し、完了信号によって第１及び第２の計重器７３、７４によって測定される測定終了時の各重量の合計重量を算出して、測定開始時の合計重量と測定終了時の合計重量の差分を表示する制御手段７５とを有している。以下これらについて詳細に説明する。
第１の計重器７３は、洋式便器７１の便座７２の下部に取付けられた複数の圧力センサを備えた圧力検知部７６と、人が便座７２に着座した際に圧力検知部７６により検知された圧力の変化から便座７２にかかる重量を算出する機能を備えた第１の重量換算手段を有している。ここで、第１の重量換算手段は、例えば、便蓋７７の取付け部７８内に収納されている。また、第２の計重器７４は、便座７２に着座した人の足を載置する計測台７９と、計測台７９にかかる圧力を検出して重量を算出する機能を備えた第２の重量換算手段８０を有している。
【００３３】
制御手段７５は、測定開始スイッチ８１がオンされた際に出力される測定開始のスタート信号を受信した際に、第１及び第２の計重器７３、７４から信号ケーブル８２、８３を介して伝送されている各重量値をロックしその総和を求めて初期重量を記録する機能を備えた初期重量算出部と、測定完了スイッチ８４がオンされた際に出力される測定完了の完了信号を受信した際に、第１及び第２の計重器７３、７４から信号ケーブル８２、８３を介して伝送されている各重量値をロックしその総和を求めて終期重量を求めて記録する機能を備えた終期重量算出部を有している。また、制御手段７５は、終期重量の記録後に、初期重量と終期重量の差分を算出して表示器８５に表示する機能を備えた差分表示部を有している。
【００３４】
制御手段７５には、第１、第２の計重器７３、７４、及び制御手段７５へ電力を供給して測定待機状態にする電源入りスイッチ８６と、第１、第２の計重器７３、７４、及び制御手段７５への電力供給を停止する電源切りスイッチ８７が設けられている。また、制御手段７５には、カレンダーと時計機能が設けられ、更に、ユーザー識別記号を指定して表示器８５に表示された重量を測定年月日と共に記録部に記録するデータ保存スイッチ８８と、記録部に保存されているデータを順次呼び出す再表示スイッチ８９が設けられている。ここで、表示器８５に表示される重量値はタイマーにより、例えば、測定完了スイッチ８４がオンされてから一定時間経過するとリセットされるように、あるいは、測定開始スイッチ８１がオンされると強制的にリセットされるようにする。なお、データ保存スイッチ８８で指定するユーザー識別記号は予め記録部に入力しておく。
【００３５】
次に、本発明の第４の実施の形態に係る便器装置７０の使用方法について説明する。
先ず、洋式便器７１に着座し、制御手段７５の電源入りスイッチ８６をオンする。これによって、第１、第２の計重器７３、７４、及び制御手段７５への電力の供給が開始され便器装置７０は測定待機状態になる。なお、電源入りスイッチ８６を常時オンの状態にしておいてもよい。この場合は、便座７２に着座した際の電源入りスイッチ８６をオンする動作は不要になる。
次いで、測定開始スイッチ８１をオンする。これによって、初期重量算出部に対して測定開始のスタート信号が出力され、初期重量算出部ではスタート信号を受信した際に、第１及び第２の計重器７３、７４から信号ケーブル８２、８３を介して伝送されている各重量値をロックしその総和を求めて初期重量を記録する。そして、大便の排泄が終わって、測定完了スイッチ８４がオンされると、終期重量算出部に対して完了信号が出力され、終期重量算出部では完了信号を受信した際に、第１及び第２の計重器７３、７４から信号ケーブル８２、８３を介して伝送されている各重量値をロックしその総和を求めて終期重量を求めて記録する。そして、初期重量及び終期重量は差分表示部に入力され、初期重量と終期重量の差分が算出されて表示器８５に表示される。大便が排泄されると体重は排泄された大便の重量だけ軽くなるので、表示器８５に表示される差分値が排泄された大便の重量となる。
【００３６】
また、表示器８５に表示された重量値を保存する必要がある場合は、データ保存スイッチ８８を操作して、ユーザー識別記号を指定し、表示器８５に表示された重量値を測定年月日及びユーザー識別記号と共に記録部に入力する。また、再表示スイッチ８９をオンすると、記録部に保存されているデータが順次呼び出され、測定年月日及びユーザー識別記号と共に表示器８５に再表示される。これにより、以前の大便の排泄量を知ることができ、健康状態の確認を行うことができる。なお、大便の排泄時に大便の重量測定を行わない場合や小便の排泄を行う場合では、測定開始スイッチ８１の操作を行わない。
【００３７】
図８、図９に示すように、本発明の第５の実施の形態に係る便器装置９０は、便器の一例である和式便器９１の両側に設けられた第１及び第２の計重器９２、９３と、
スタート信号によって第１及び第２の計重器９２、９３によって測定される測定開始時の各重量の合計重量を算出し、完了信号によって第１及び第２の計重器９２、９３によって測定される測定終了時の各重量の合計重量を算出して、測定開始時の合計重量と測定終了時の合計重量の差分を表示する制御手段９４とを有している。以下これらについて詳細に説明する。
第１及び第２の計重器９２、９３は、和式便器９１の便受け部９５の両側に配置され、人が便受け部９５を跨いでしゃがんだ際に足が載置される計測台９６、９７と、計測台９６、９７にかかる圧力をそれぞれ検出して重量を算出する機能を備えた重量換算手段９８、９９を有している。また、和式便器９１の便受け部９５の一方側の中央部には便受け部９５内に洗浄水を供給する導水口１００が設けられ、導水口１００には図示しない水タンクに直結する導水配管１０１が接続されている。また、便受け部９５の他方側は下部に排出口１０２が形成され上部にカバー部材１０３を備えた排出部１０３ａと連通し、排出口１０２は排出配管１０４に接続されている。
【００３８】
また、制御手段９４の構成は、第４の実施の形態に係る便器装置７０の制御手段７５と同一の構成とすることができる。このため、同一の構成部材には同一の符号を付して詳細な説明は省略する。更に、制御手段９４の構成は第４の実施の形態に係る便器装置７０の制御手段７５の構成と同一であるため、第５の実施の形態に係る便器装置９０の使用方法は、第４の実施の形態に係る便器装置７０の場合と同一である。このため、第５の実施の形態に係る便器装置９０の使用方法に関する説明は省略する。
【００３９】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明の便器装置を構成する場合も本発明の権利範囲に含まれる。
例えば、第１の実施の形態では、不使用時に受け皿が全部溜水内に浸漬されるようにしたが、不使用時に受け皿の一側（アーム部材との連結側）が溜水の水面より上方に保持されるようにしてもよい。また、第２及び第３の実施の形態では、受け皿を昇降する支持軸の進退機構をモータとギアで構成したが、エア等の流体圧力で駆動するシリンダを使用することができる。
第３の実施の形態では、常時は、受け皿の上面が便受け部の底部と実質同一平面となるように設置したが、受け皿が支持部材と共に便受け部の底部と隙間を有して設置されるようにしてもよい。この場合は、支持部材の背面と便受け部の底面との間に洗浄水を流すことができ、支持部材の背面側に大便が付着するのを防止できる。
【図面の簡単な説明】
【００４０】
【図１】本発明の第１の実施の形態に係る便器装置の側断面図である。
【図２】同便器装置の平面図である。
【図３】本発明の第２の実施の形態に係る便器装置の側断面図である。
【図４】同便器装置の平面図である。
【図５】本発明の第３の実施の形態に係る便器装置の側断面図である。
【図６】同便器装置の平面図である。
【図７】本発明の第４の実施の形態に係る便器装置の側面図である。
【図８】本発明の第５の実施の形態に係る便器装置の側断面図である。
【図９】同便器装置の平面図である。
【符号の説明】
【００４１】
１０：便器装置、１１：洋式便器、１２：計重器、１３：リム通水路、１４：便鉢、１５：便鉢排出口、１６：トラップ部、１７：トラップ接続管、１８：下流端部、１９：排出配管、２０：導水部、２１：リム通水路口、２２：便鉢口、２３：洗浄水流入口、２４：計重部、２５：操作部、２６：受け皿、２７：重量測定手段、２８：受け皿回動手段、２９：支持部材、３０：圧力検出器、３１：アーム部材、３２：回動軸、３３：収納箱、３４：表示器、３５：溜水、３６：信号ケーブル、３６ａ：操作信号ケーブル、３７：電源入りスイッチ、３８：電源切りスイッチ、３９：測定開始スイッチ、４０：測定完了スイッチ、４１：データ保存スイッチ、４２：再表示スイッチ、４３：便器装置、４４：計重器、４５：計重部、４６：受け皿、４７：重量測定手段、４８：受け皿昇降手段、４９：支持部材、５０：圧力検出器、５１：シール部材、５２：支持軸、５３：収納箱、５４：つば部、５５：取付け部材、５６：ねじ、５７：便器装置、５８：便受け部、５９：排出口、６０：カバー部材、６０ａ：排出部、６１：和式便器、６２：受け皿、６３：計重器、６４：導水口、６５：導水配管、６６：排出配管、６７：計重部、６８：操作部、６９：ピット、７０：便器装置、７１：洋式便器、７２：便座、７３：第１の計重器、７４：第２の計重器、７５：制御手段、７６：圧力検知部、７７：便蓋、７８：取付け部、７９：計測台、８０：第２の重量換算手段、８１：測定開始スイッチ、８２、８３：信号ケーブル、８４：測定完了スイッチ、８５：表示器、８６：電源入りスイッチ、８７：電源切りスイッチ、８８：データ保存スイッチ、８９：再表示スイッチ、９０：便器装置、９１：和式便器、９２：第１の計重器、９３：第２の計重器、９４：制御手段、９５：便受け部、９６、９７：計測台、９８、９９：重量換算手段、１００：導水口、１０１：導水配管、１０２：排出口、１０３：カバー部材、１０３ａ：排出部、１０４：排出配管
【図１】
2006125090.tif 000003
【図２】
2006125090.tif 000004
【図３】
2006125090.tif 000005
【図４】
2006125090.tif 000006
【図５】
2006125090.tif 000007
【図６】
2006125090.tif 000008
【図７】
2006125090.tif 000009
【図８】
2006125090.tif 000010
【図９】
2006125090.tif 000011
【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
便器内に、この便器の使用時に排出される大便の重量を測定する計重器を配置した便器装置において、大便を載せて測定する前記計重器の受け皿は、大便測定時にその表面を水平に保ち、前記計重器の不使用時には一側を基準にして回動して下向きとなっていることを特徴とする便器装置。
【請求項２】
請求項１記載の便器装置において、前記便器は洋式便器であって、前記計重器の不使用時には前記受け皿は、その全部又は主要部が前記便器下部の溜水内に浸漬していることを特徴とする便器装置。
【請求項３】
便器内に、この便器の使用時に排出される大便の重量を測定する計重器を配置した便器装置において、前記便器は洋式便器であって、大便を載せて測定する前記計重器の受け皿は、前記便器内を昇降し、前記計重器の使用時には前記受け皿が前記便器内の溜水の上に位置し、常時は前記受け皿が前記便器内の溜水内に水没していることを特徴とする便器装置。
【請求項４】
便器内に、この便器の使用時に排出される大便の重量を測定する計重器を配置した便器装置において、前記便器は和式便器であって、便受け部の底面に、受け皿を有する前記計重器が設けられていることを特徴とする便器装置。
【請求項５】
請求項４記載の便器装置において、前記受け皿は、前記便器内を昇降し、常時は前記便受け部の底部と実質同一平面となって、前記計重器の使用時に前記便受け部の底部から上昇することを特徴とする便器装置。
【請求項６】
請求項１〜５のいずれか１項に記載の便器装置において、前記計重器には使用時に零点調整を行う信号入力手段が設けられていることを特徴とする便器装置。
【請求項７】
請求項１〜６のいずれか１項に記載の便器装置において、前記計重器には計量した大便の量を出力する信号出力手段が設けられていることを特徴とする便器装置。
【請求項８】
請求項７記載の便器装置において、前記信号出力手段の出力を受けてその測定量を表示する表示器を前記便器外に備えることを特徴とする便器装置。
【請求項９】
洋式便器の便座下部に設けられた第１の計重器と、
前記洋式便器の前側床面に設けられた第２の計重器と、
スタート信号と完了信号によって前記第１及び第２の計重器で測定された合計重さの差分を表示する制御手段とを有することを特徴とする便器装置。
【請求項１０】
和式便器の両側に設けられた第１及び第２の計重器と、
スタート信号及び完了信号によって前記第１及び第２の計重器で測定された合計重さの差分を表示する制御手段とを有することを特徴とする便器装置。
【手続補正２】
【補正対象書類名】明細書
【補正対象項目名】全文
【補正方法】変更
【補正の内容】
【発明の詳細な説明】
【技術分野】
【０００１】
本発明は、排泄した大便の重量を計測する便器装置に関する。
【背景技術】
【０００２】
従来、洋式便器のトラップ部に重量検出装置を設けて、トラップ部に大便が受容された際の重量変化から排泄された大便の重量を計量する排泄量測定装置が提案されている（例えば、特許文献１参照）。また、洋式便器の基部前方に近接させて重量測定装置を配置し、排泄の前後に測定した体重の変化から排泄された大便の重量を求めるトイレ減量体重計が提案されている（例えば、特許文献２参照）。更に、洋式便器の便座内に圧力センサを設け、排泄の前後の圧力センサからの信号値の変化から排泄された大便の重量を求める便座装置が提案されている（例えば、特許文献３参照）。
【０００３】
【特許文献１】特開平８−２９９３４８号公報
【特許文献２】特開平１１−２７１１３６号公報
【特許文献３】特開２０００−２５４０４２号公報
【発明の開示】
【発明が解決しようとする課題】
【０００４】
しかしながら、特許文献１に記載された発明では、水を貯留した状態のトラップ部の重量が計量可能な重量検出装置を使用しているため、排泄された大便の重量が水を貯留した状態のトラップ部の重量に比較して軽過ぎると、トラップ部の重量変化が小さく、計量誤差が大きくなるという問題がある。
また、特許文献２及び３に記載された発明では、大便の排泄前後の体重の変化量から大便の重量を求めるため、排泄された大便の重量が体重に比較して軽過ぎる場合は体重の重量変化が小さく、特許文献１に記載された発明の場合よりも計量誤差が大きくなるという問題がある。更に、特許文献２に記載された発明では、体重を測定する際、必ず便座から腰を浮かす必要があるため、測定が煩わしくなるという問題も生じる。
【０００５】
本発明はかかる事情に鑑みてなされたもので、排泄された大便の重量が小さくても大便の重量を簡便かつ正確に計量することが可能な便器装置を提供することを目的とする。
【課題を解決するための手段】
【０００６】
第１の発明に係る便器装置は、便器内に、この便器の使用時に排出される大便の重量を測定する計重器を配置した便器装置において、大便を載せて測定する前記計重器の受け皿は、大便測定時にその表面を水平に保ち、前記計重器の不使用時には一側を基準にして回動して下向きとなっている。
また、別の第１の発明に係る便器装置は、便器内に、この便器の使用時に排出される大便の重量を測定する計重器を配置した便器装置において、前記便器は洋式便器であって、大便を載せて測定する前記計重器の受け皿は、前記便器内を昇降し、前記計重器の使用時には前記受け皿が前記便器内の溜水の上に位置し、常時は前記受け皿が前記便器内の溜水内に水没している。
更に別の、第１の発明に係る便器装置は、便器内に、この便器の使用時に排出される大便の重量を測定する計重器を配置した便器装置において、前記便器は和式便器であって、便受け部の底面に、受け皿を有する前記計重器が設けられている。
【０００７】
第２の発明に係る便器装置は、洋式便器の便座下部に設けられた第１の計重器と、
前記洋式便器の前側床面に設けられた第２の計重器と、
スタート信号と完了信号によって前記第１及び第２の計重器で測定された合計重さの差分を表示する制御手段とを有している。
【０００８】
第３の発明に係る便器装置は、和式便器の両側に設けられた第１及び第２の計重器と、
スタート信号及び完了信号によって前記第１及び第２の計重器で測定された合計重さの差分を表示する制御手段とを有している。
【発明の効果】
【０００９】
第１の発明に係る便器装置においては、便器内に大便の重量を測定する計重器を配置するので、排泄された大便の重量を直接測定することができ、排泄された大便の重量が小さくても大便の重量を簡便かつ正確に計量することが可能になる。
特に、大便を載せて測定する計重器の受け皿を大便測定時にその表面を水平に保つ場合は、受け皿に載置された大便が滑落するのを防止でき、排泄された大便の重量を確実に測定することが可能になる。また、受け皿を計重器の不使用時に一側を基準にして回動して下向きとする場合は、受け皿に載置された大便を受け皿から溜水中に滑落させることができ、大便を容易に便器内から排出することが可能になる。
【００１０】
便器が洋式便器であって、計重器の不使用時には受け皿の全部又は主要部が便器下部の溜水内に浸漬される場合は、大便の重量測定が終了すると大便を便器下部の溜水内に浸漬することができ、便器から大便を容易に排出することができる。また、使用後の受け皿に付着した大便を便器内の溜水中に分散させることができ、受け皿の表面を清浄な状態に保持することが容易になると共に、小便の排泄時に支障がないようにできる。
便器が洋式便器であって、大便を載せて測定する計重器の受け皿が便器内を昇降し、計重器の使用時には受け皿が便器内の溜水の上に位置する場合は、大便が便器内の溜水中に分散するのを防止でき、大便の重量を正確に測定することができる。また、常時（測定を行わないときに）受け皿を便器内の溜水内に水没させる場合は、計重器の使用後の受け皿に付着した大便を便器内の溜水中に分散させることができ、受け皿の表面を清浄な状態に保持することが容易になると共に、小便の排泄時に支障がないようにできる。
【００１１】
便器が和式便器であって、便受け部の底面に、受け皿を有する計重器が設けられている場合は、排泄された大便を受け皿上に載置することができ、排泄された大便の重量を正確に計量することが可能になる。
また、受け皿が便器内を昇降し、常時は便受け部の底部と実質同一平面となって、使用時に便受け部の底部から上昇する場合は、大便の重量を測定する際は排泄された大便を確実に受け皿で保持することができ、大便の重量を正確に測定することが可能になると共に、重量測定後は大便を便器から容易に排出することが可能になる。
【００１２】
更に、計重器に、使用時に零点調整を行う信号入力手段が設けられている場合は、受け皿に大便が付着していても排泄された大便の重量を正確に測定することが可能になる。
計重器に、計量した大便の量を出力する信号出力手段が設けられている場合は、例えば、記録計を設けることにより大便の排泄量の経時変化を記録することができ、記録を確認することで健康状態の変化を容易に把握することが可能になる。
信号出力手段の出力を受けてその測定量を表示する表示器が便器外に備えられている場合は、排泄された大便の重量を直ちに知ることができ、その場で健康状態を確認することが可能になる。
【００１３】
第２及び第３の発明に係る便器装置においては、体重を２つの計重器で支えながら測定することができ、各計重器の測定感度を向上させることが可能になる。その結果、排泄された大便の重量が体重に比較して軽くても、大便の排泄前後の体重の変化量を正確に求めることができ、大便の重量を正確に求めることが可能になる。
更に、計量開始を示すスタート信号及び計量終了を示す完了信号の出力時にそれぞれ測定を行って重量差を算出するので、洋式便器では便座に着座した状態で、和式便器ではしゃがんだままの状態で体重の変化を測定することができ、簡便に大便の重量を測定することが可能になる。
【発明を実施するための最良の形態】
【００１４】
続いて、添付した図面を参照しつつ、本発明を具体化した実施の形態につき説明し、本発明の理解に供する。
ここで、図１は本発明の第１の実施の形態に係る便器装置の側断面図、図２は同便器装置の平面図、図３は本発明の第２の実施の形態に係る便器装置の側断面図、図４は同便器装置の平面図、図５は本発明の第３の実施の形態に係る便器装置の側断面図、図６は同便器装置の平面図、図７は本発明の第４の実施の形態に係る便器装置の側面図、図８は本発明の第５の実施の形態に係る便器装置の側断面図、図９は同便器装置の平面図である。
【００１５】
図１、図２に示すように、本発明の第１の実施の形態に係る便器装置１０は、便器の一例である洋式便器１１と、洋式便器１１内に設けられ使用時に排出される大便の重量を測定する計重器１２を有している。以下これらについて、詳細に説明する。
洋式便器１１は、リム通水路１３が設けられた便鉢１４と、便鉢１４の下部の便鉢排出口１５に連通して一体的に設けられた実質的にＳ字形状のトラップ部１６と、トラップ部１６の下流端部に連通して一体的に設けられたトラップ接続管１７を有している。そして、トラップ接続管１７の下流端部１８は排出配管１９に接続されている。また、便鉢１４の背面側には、リム通水路１３及び便鉢１４内に洗浄水を供給する導水部２０が、リム通水路口２１及び便鉢口２２に連通して形成され、導水部２０の上流側には図示しない水タンクに直結する洗浄水流入口２３が形成されている。
【００１６】
計重器１２は、排出される大便を受けてその重量を測定する計重部２４と、計重部２４を操作して大便の重量測定、測定値の表示、及び記録を行う操作部２５を有している。
計重部２４は、排出される大便を受ける受け皿２６と、受け皿２６の下部に当接して受け皿２６を支持して大便の重量を測定する重量測定手段２７と、重量測定手段２７で支持される受け皿２６の表面を使用時（大便の重量測定時）に水平に保ち、計重器１２の不使用時には、受け皿２６の一側（図１ではトラップ部１６側）を基準にして回動させて下向きにする受け皿回動手段２８を有している。
【００１７】
ここで、重量測定手段２７は、例えば、受け皿２６を便鉢１４の中央背面側の位置に保持して排泄される大便が容易に受け皿２６内に受容されるように便鉢１４内で受け皿２６を支持する支持部材２９と、支持部材２９の表層部に設けられ受け皿２６により支持部材２９の表面に加えられる圧力を検知する圧力センサを備えた圧力検出器３０を有している。また、受け皿回動手段２８は、便鉢１４の内側でその幅方向の中央部に設けられて支持部材２９の一端側を片持ち状態で支えるアーム部材３１と、一方側がアーム部材３１の基側に固定され他方側が便鉢１４の側壁を貫通して外部に突出する回動軸３２と、回動軸３２の他方側に接続され回動軸３２を回動するモータ（図示せず）と、モータを収納する収納箱３３を有している。
【００１８】
操作部２５は、重量測定手段２７の圧力検出器３０からの出力信号を受信して重量値に換算して重量信号を出力する機能を備えた信号出力手段（図示せず）と、計重器１２の使用開始直後に圧力検出器３０から信号出力手段に入力された出力信号を電気的にキャンセルして測定時の基準値を決定する零点調整を行う機能を備えた信号入力手段（図示せず）と、測定時に信号出力手段から出力される重量信号を受けてその重量値を表示する表示器３４を備えている。なお、信号出力手段にはカレンダーと時計機能が設けられ、指定された重量値に対する重量信号を測定年月日及びユーザー識別記号と共に記録する記録部を備えている。
【００１９】
更に、操作部２５は、使用時に、アーム部材３１を介して受け皿２６の表面を便鉢１４内の溜水３５の水面よりも上方の位置に露出させて水平に保たれるように、不使用時（大便の重量測定を行わない時）には、アーム部材３１を回動軸３２を基準にして回動させて下向きにして受け皿２６の全部が便鉢１４内の溜水３５内に浸漬されるように、回動軸３２の回動操作信号をモータに向けて出力する機能を備えた回動操作手段（図示せず）を備えている。なお、圧力検出器３０は、支持部材２９、アーム部材３１、及び回動軸３２の各内部を通過して収納箱３３から取り出された信号ケーブル３６を介して操作部２５の信号出力手段と接続しており、また、受け皿回動手段２８に設けられたモータは操作部２５の回動操作手段と操作信号ケーブル３６ａで接続されている。
【００２０】
操作部２５には、操作部２５、圧力検出器３０、及びモータへ電力を供給して測定待機状態にする電源入りスイッチ３７と、操作部２５、圧力検出器３０、及びモータへの電力供給を停止する電源切りスイッチ３８と、使用時に受け皿２６の表面が便鉢１４内の溜水３５の水面よりも上方の位置で水平に保たれるように受け皿回動手段２８を駆動すると共に、圧力検出器３０の零点調整を行って測定を開始する測定開始スイッチ３９が設けられている。また、操作部２５には、表示器３４に表示されている重量値をロックし、受け皿２６の全部が便鉢１４内の溜水３５内に浸漬されるように受け皿回動手段２８を駆動させる測定完了スイッチ４０が設けられている。
【００２１】
更に、操作部２５には、ユーザー識別記号を指定して表示器３４にロックされた重量値に相当する重量信号を測定年月日と共に信号出力手段の記録部に入力するデータ保存スイッチ４１と、信号出力手段の記録部に保存されているデータを順次呼び出す再表示スイッチ４２が設けられている。ここで、表示器３４にロックされた重量値はタイマーにより、例えば、測定完了スイッチ４０がオンされてから一定時間経過するとリセットされるように、あるいは、測定開始スイッチ３９がオンされると強制的にリセットされるようにする。また、データ保存スイッチ４１で指定するユーザー識別記号は予め信号出力手段に入力しておく。
【００２２】
次に、本発明の第１の実施の形態に係る便器装置１０の使用方法について説明する。
先ず、洋式便器１１に着座し、操作部２５の電源入りスイッチ３７をオンする。これによって、操作部２５（信号入力手段、信号出力手段、及び表示器３４）、圧力検出器３０、及びモータへの電力の供給が開始され便器装置１０は測定待機状態になる。なお、電源入りスイッチ３７を常時オンの状態にしておいてもよい。この場合は、便座に着座した際の電源入りスイッチ３７をオンする動作は不要になる。
次いで、測定開始スイッチ３９をオンする。これによって、受け皿回動手段２８が駆動して、便鉢１４内の溜水３５内に浸漬されている受け皿２６が回動して溜水３５の水面よりも上方の位置まで移動し、受け皿２６の表面を溜水３５から露出させて水平に保持する。そして、信号入力手段は圧力検出器３０から信号出力手段に入力された出力信号値を検知し、この出力信号値を電気的にキャンセルするキャンセル信号を信号出力手段に入力して、信号出力手段から出力される出力信号の値を０とする零点調整を行う。その結果、表示器３４に表示される数値は０となる。
【００２３】
排泄された大便は、受け皿２６に受容される。大便が受け皿２６に受容されると、受け皿２６全体としての重量は大便の重量分だけ増加するため、受け皿２６の下面を支持する支持部材２９の表面に加わる圧力が増加する。この圧力の上昇値は圧力検出器３０で検知され、圧力検出器３０からは圧力の上昇値を含んだ出力信号が信号出力手段に入力される。信号出力手段では入力された出力信号から大便の重量に相当する圧力変化を求め、この圧力変化量を重量値に換算して重量信号を表示器３４に出力し、表示器３４には重量値が表示される。ここで、大便の重量を正確に測定するには、受け皿２６には大便のみが受容されるようにする必要がある。このため、誤って受け皿２６内に小便が排泄された場合にも大便の重量測定が正しく行われるように、誤って受容された小便を排出させる孔を受け皿２６の底部に複数個設けたり、受け皿２６の底部を金網（例えば、網目間隔が１〜５ｍｍ）で構成するようにするのがよい。
【００２４】
大便の排泄が終了すると、測定完了スイッチ４０をオンする。測定完了スイッチ４０がオンされると、その時点で表示器３４に表示されていた重量値がロックされる。このため、表示器３４の表示値から排泄された大便の重量を知ることができる。更に、受け皿回動手段２８が駆動してアーム部材３１が回動軸３２を基準にして下向きになるように回動し、大便を受容している受け皿２６が支持部材２９と共に便鉢１４内の溜水３５内に浸漬される。これによって、受け皿２６内に受容された大便を溜水３５中に滑落させることができる。そして、洗浄水流入口２３から導水部２０に洗浄水を導きリム通水路口２１及び便鉢口２２を介してリム通水路１３及び便鉢１４に供給することにより、大便を小便と共に便鉢１４の便鉢排出口１５からトラップ部１６及びトラップ接続管１７を介して排出配管１９に排出することができる。また、表示器３４にロックされた重量値を保存する必要がある場合は、データ保存スイッチ４１を操作して、ユーザー識別記号を指定し、表示器３４にロックされた重量値に相当する重量信号を測定年月日及びユーザー識別記号と共に信号出力手段の記録部に入力する。
【００２５】
測定完了後では、受け皿２６を便鉢１４内の溜水３５中に浸漬状態としているので、使用後の受け皿２６に付着した大便を便鉢１４内の溜水３５中に分散させることができ、受け皿２６の表面を清浄な状態に保持することが容易になる。また、再表示スイッチ４２をオンすると、信号出力手段の記録部に保存されているデータが順次呼び出され、測定年月日及びユーザー識別記号と共に表示器３４に再表示される。これにより、以前の大便の排泄量を知ることができ、健康状態の確認を行うことができる。
なお、大便の排泄時に大便の重量測定を行わない場合や小便の排泄を行う場合では、測定開始スイッチ３９の操作を行わない。このときは、受け皿２６は便鉢１４内の溜水３５内に完全に浸漬している状態になっているので、通常の洋式便器と同一の方法で使用することができる。
【００２６】
図３、図４に示すように、本発明の第２の実施の形態に係る便器装置４３は、第１の実施の形態に係る便器装置１０と比較して、計重器４４の計重部４５の構成が異なっていることが特徴となっている。このため、第１の実施の形態に係る便器装置１０と同一の構成部材については同一の符号を付し、計重部４５についてのみ詳細に説明する。
計重部４５は、排出される大便を受ける受け皿４６と、受け皿４６の下部に当接して設けられた重量測定手段４７と、重量測定手段４７を介して受け皿４６の表面を大便の重量測定時に水平にして溜水３５の水面より上に保持し、常時は受け皿４６を溜水３５内に水没させた状態で保持する受け皿昇降手段４８を有している。
【００２７】
重量測定手段４７は、例えば、受け皿４６を便鉢１４の中央背面側の位置に保持して排泄される大便が容易に受け皿４６内に受容されるように便鉢１４内で受け皿４６の下面を支持する支持部材４９と、支持部材４９の表層部に設けられ支持部材４９の表面に加えられる圧力を検知する圧力センサを備えた圧力検出器５０を有している。また、受け皿昇降手段４８は、支持部材４９の背面側中央に一端側が固定され他端側が便鉢１４の底部をシール部材５１を介して貫通して外部に突出する支持軸５２と、支持軸５２の他端部に接続され支持軸５２を軸方向に進退させる、例えば、モータとギアで構成された進退機構（図示せず）と、進退機構を収納する収納箱５３を有している。そして、収納箱５３の側部にはつば部５４が形成され、便鉢１４の底部外側にシール部材５１を囲うように設けられた取付け部材５５の端部につば部５４を当接させ、締結部材の一例であるねじ５６を用いて固定している。
【００２８】
なお、圧力検出器５０は、支持部材４９及び支持軸５２の各内部を通過して収納箱５３から取り出された信号ケーブル３６を介して操作部２５の信号出力手段と接続しており、受け皿昇降手段４８に設けられたモータは操作部２５の回動操作手段と操作信号ケーブル３６ａで接続されている。
また、本発明の第２の実施の形態に係る便器装置４３の使用においては、第１の実施の形態に係る便器装置１０と比較して、測定開始スイッチ３９をオンした際に、受け皿昇降手段４８が駆動して、便鉢１４内の溜水３５内に浸漬されている受け皿４６が支持軸５２により持ち上げられて溜水３５の水面よりも上方の位置まで移動すること、及び、測定完了スイッチ４０をオンした際に、受け皿昇降手段４８が駆動して支持軸５２が下降し大便を受容している受け皿４６が支持部材４９と共に便鉢１４内の溜水３５内に浸漬されることが異なるだけで、それ以外の動作は実質的に第１の実施の形態に係る便器装置１０の場合と同一である。このため、第２の実施の形態に係る便器装置４３の使用方法に関する説明は省略する。
【００２９】
図５、図６に示すように、本発明の第３の実施の形態に係る便器装置５７は、上方側が開口した便受け部５８と、便受け部５８の一方側と連通し下部に排出口５９が形成され上部にカバー部材６０が設けられた排出部６０ａを備えた便器の一例である和式便器６１を有している。更に、便器装置５７は、和式便器６１の便受け部５８の底面に設けられ、大便の重量を測定する際に便受け部５８の底部から上昇して排泄される大便を受容しその重量を検出し、常時は便受け部５８の底部と実質同一平面となる受け皿６２を備えた計重器６３を有している。そして、便受け部５８の他端側の中央部には便受け部５８内に洗浄水を供給する導水口６４が設けられ、導水口６４には図示しない水タンクに直結する導水配管６５が接続され、排出口５９は排出配管６６に接続されている。
【００３０】
計重器６３は、受け皿６２を和式便器６１の便受け部５８内で昇降させると共に受容した大便の重量を検出する計重部６７と、計重部６７を操作して大便の重量測定、測定値の表示、及び記録を行う操作部６８を有している。ここで、計重部６７の構成は第２の実施の形態に係る便器装置４３の計重部４５と同一の構成とすることができ、操作部６８は第１の実施の形態に係る便器装置１０の計重部２５と同一の構成とすることができる。このため、同一の構成部材には同一の符号を付して詳細な説明は省略する。なお、和式便器６１を設置する際には、便受け部５８の中間部の外側にピット６９を形成し、このピット６９内にシール部材５１を囲うように設けられた取付け部材５５を突出させ、この取付け部材５５の端部にねじ５６を介して収納箱５３を固定する。
【００３１】
また、本発明の第３の実施の形態に係る便器装置５７の使用においては、第１の実施の形態に係る便器装置１０と比較して、測定開始スイッチ３９をオンした際に、受け皿昇降手段４８が駆動して、便受け部５８の底部と実質同一平面となっている受け皿６２が支持軸５２により持ち上げられて、便受け部５８に貯留されている溜水の水面から受け皿６２が露出する位置まで移動すること、及び、測定完了スイッチ４０をオンした際に、受け皿昇降手段４８が駆動して支持軸５２が下降し大便を受容している受け皿６２の上面が便受け部５８の底部と実質同一平面となる位置まで下降することが異なるだけで、それ以外の動作は実質的に第１の実施の形態に係る便器装置１０の場合と同一である。このため、第３の実施の形態に係る便器装置５７の使用方法に関する説明は省略する。
なお、大便を便受け部５８から排出部６０ａを介して排出するには、大便を受容している受け皿６２の上面を便受け部５８の底部と実質同一平面となる位置まで下降させてから行う。このとき、受け皿６２を下降する際に受容している大便が受け皿６２から滑落すると、大便が便受け部５８の底面と受け皿６２を支持する支持部材４９の背面との間に巻き込まれることがある。このため、定期的に測定開始スイッチ３９をオンして受け皿６２を上昇させて便受け部５８の底面と支持部材４９の背面との間に隙間を設け、この状態で便受け部５８に洗浄水を供給し、便受け部５８の底面と支持部材４９の背面を洗浄することが好ましい。
【００３２】
図７に示すように、本発明の第４の実施の形態に係る便器装置７０は、便器の一例である洋式便器７１の便座７２の下部に設けられた第１の計重器７３と、洋式便器７１の前側床面に設けられた第２の計重器７４と、スタート信号によって第１及び第２の計重器７３、７４によって測定される測定開始時の各重量の合計重量を算出し、完了信号によって第１及び第２の計重器７３、７４によって測定される測定終了時の各重量の合計重量を算出して、測定開始時の合計重量と測定終了時の合計重量の差分を表示する制御手段７５とを有している。以下これらについて詳細に説明する。
第１の計重器７３は、洋式便器７１の便座７２の下部に取付けられた複数の圧力センサを備えた圧力検知部７６と、人が便座７２に着座した際に圧力検知部７６により検知された圧力の変化から便座７２にかかる重量を算出する機能を備えた第１の重量換算手段を有している。ここで、第１の重量換算手段は、例えば、便蓋７７の取付け部７８内に収納されている。また、第２の計重器７４は、便座７２に着座した人の足を載置する計測台７９と、計測台７９にかかる圧力を検出して重量を算出する機能を備えた第２の重量換算手段８０を有している。
【００３３】
制御手段７５は、測定開始スイッチ８１がオンされた際に出力される測定開始のスタート信号を受信した際に、第１及び第２の計重器７３、７４から信号ケーブル８２、８３を介して伝送されている各重量値をロックしその総和を求めて初期重量を記録する機能を備えた初期重量算出部と、測定完了スイッチ８４がオンされた際に出力される測定完了の完了信号を受信した際に、第１及び第２の計重器７３、７４から信号ケーブル８２、８３を介して伝送されている各重量値をロックしその総和を求めて終期重量を求めて記録する機能を備えた終期重量算出部を有している。また、制御手段７５は、終期重量の記録後に、初期重量と終期重量の差分を算出して表示器８５に表示する機能を備えた差分表示部を有している。
【００３４】
制御手段７５には、第１、第２の計重器７３、７４、及び制御手段７５へ電力を供給して測定待機状態にする電源入りスイッチ８６と、第１、第２の計重器７３、７４、及び制御手段７５への電力供給を停止する電源切りスイッチ８７が設けられている。また、制御手段７５には、カレンダーと時計機能が設けられ、更に、ユーザー識別記号を指定して表示器８５に表示された重量を測定年月日と共に記録部に記録するデータ保存スイッチ８８と、記録部に保存されているデータを順次呼び出す再表示スイッチ８９が設けられている。ここで、表示器８５に表示される重量値はタイマーにより、例えば、測定完了スイッチ８４がオンされてから一定時間経過するとリセットされるように、あるいは、測定開始スイッチ８１がオンされると強制的にリセットされるようにする。なお、データ保存スイッチ８８で指定するユーザー識別記号は予め記録部に入力しておく。
【００３５】
次に、本発明の第４の実施の形態に係る便器装置７０の使用方法について説明する。
先ず、洋式便器７１に着座し、制御手段７５の電源入りスイッチ８６をオンする。これによって、第１、第２の計重器７３、７４、及び制御手段７５への電力の供給が開始され便器装置７０は測定待機状態になる。なお、電源入りスイッチ８６を常時オンの状態にしておいてもよい。この場合は、便座７２に着座した際の電源入りスイッチ８６をオンする動作は不要になる。
次いで、測定開始スイッチ８１をオンする。これによって、初期重量算出部に対して測定開始のスタート信号が出力され、初期重量算出部ではスタート信号を受信した際に、第１及び第２の計重器７３、７４から信号ケーブル８２、８３を介して伝送されている各重量値をロックしその総和を求めて初期重量を記録する。そして、大便の排泄が終わって、測定完了スイッチ８４がオンされると、終期重量算出部に対して完了信号が出力され、終期重量算出部では完了信号を受信した際に、第１及び第２の計重器７３、７４から信号ケーブル８２、８３を介して伝送されている各重量値をロックしその総和を求めて終期重量を求めて記録する。そして、初期重量及び終期重量は差分表示部に入力され、初期重量と終期重量の差分が算出されて表示器８５に表示される。大便が排泄されると体重は排泄された大便の重量だけ軽くなるので、表示器８５に表示される差分値が排泄された大便の重量となる。
【００３６】
また、表示器８５に表示された重量値を保存する必要がある場合は、データ保存スイッチ８８を操作して、ユーザー識別記号を指定し、表示器８５に表示された重量値を測定年月日及びユーザー識別記号と共に記録部に入力する。また、再表示スイッチ８９をオンすると、記録部に保存されているデータが順次呼び出され、測定年月日及びユーザー識別記号と共に表示器８５に再表示される。これにより、以前の大便の排泄量を知ることができ、健康状態の確認を行うことができる。なお、大便の排泄時に大便の重量測定を行わない場合や小便の排泄を行う場合では、測定開始スイッチ８１の操作を行わない。
【００３７】
図８、図９に示すように、本発明の第５の実施の形態に係る便器装置９０は、便器の一例である和式便器９１の両側に設けられた第１及び第２の計重器９２、９３と、
スタート信号によって第１及び第２の計重器９２、９３によって測定される測定開始時の各重量の合計重量を算出し、完了信号によって第１及び第２の計重器９２、９３によって測定される測定終了時の各重量の合計重量を算出して、測定開始時の合計重量と測定終了時の合計重量の差分を表示する制御手段９４とを有している。以下これらについて詳細に説明する。
第１及び第２の計重器９２、９３は、和式便器９１の便受け部９５の両側に配置され、人が便受け部９５を跨いでしゃがんだ際に足が載置される計測台９６、９７と、計測台９６、９７にかかる圧力をそれぞれ検出して重量を算出する機能を備えた重量換算手段９８、９９を有している。また、和式便器９１の便受け部９５の一方側の中央部には便受け部９５内に洗浄水を供給する導水口１００が設けられ、導水口１００には図示しない水タンクに直結する導水配管１０１が接続されている。また、便受け部９５の他方側は下部に排出口１０２が形成され上部にカバー部材１０３を備えた排出部１０３ａと連通し、排出口１０２は排出配管１０４に接続されている。
【００３８】
また、制御手段９４の構成は、第４の実施の形態に係る便器装置７０の制御手段７５と同一の構成とすることができる。このため、同一の構成部材には同一の符号を付して詳細な説明は省略する。更に、制御手段９４の構成は第４の実施の形態に係る便器装置７０の制御手段７５の構成と同一であるため、第５の実施の形態に係る便器装置９０の使用方法は、第４の実施の形態に係る便器装置７０の場合と同一である。このため、第５の実施の形態に係る便器装置９０の使用方法に関する説明は省略する。
【００３９】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明の便器装置を構成する場合も本発明の権利範囲に含まれる。
例えば、第１の実施の形態では、不使用時に受け皿が全部溜水内に浸漬されるようにしたが、不使用時に受け皿の一側（アーム部材との連結側）が溜水の水面より上方に保持されるようにしてもよい。また、第２及び第３の実施の形態では、受け皿を昇降する支持軸の進退機構をモータとギアで構成したが、エア等の流体圧力で駆動するシリンダを使用することができる。
第３の実施の形態では、常時は、受け皿の上面が便受け部の底部と実質同一平面となるように設置したが、受け皿が支持部材と共に便受け部の底部と隙間を有して設置されるようにしてもよい。この場合は、支持部材の背面と便受け部の底面との間に洗浄水を流すことができ、支持部材の背面側に大便が付着するのを防止できる。
【図面の簡単な説明】
【００４０】
【図１】本発明の第１の実施の形態に係る便器装置の側断面図である。
【図２】同便器装置の平面図である。
【図３】本発明の第２の実施の形態に係る便器装置の側断面図である。
【図４】同便器装置の平面図である。
【図５】本発明の第３の実施の形態に係る便器装置の側断面図である。
【図６】同便器装置の平面図である。
【図７】本発明の第４の実施の形態に係る便器装置の側面図である。
【図８】本発明の第５の実施の形態に係る便器装置の側断面図である。
【図９】同便器装置の平面図である。
【符号の説明】
【００４１】
１０：便器装置、１１：洋式便器、１２：計重器、１３：リム通水路、１４：便鉢、１５：便鉢排出口、１６：トラップ部、１７：トラップ接続管、１８：下流端部、１９：排出配管、２０：導水部、２１：リム通水路口、２２：便鉢口、２３：洗浄水流入口、２４：計重部、２５：操作部、２６：受け皿、２７：重量測定手段、２８：受け皿回動手段、２９：支持部材、３０：圧力検出器、３１：アーム部材、３２：回動軸、３３：収納箱、３４：表示器、３５：溜水、３６：信号ケーブル、３６ａ：操作信号ケーブル、３７：電源入りスイッチ、３８：電源切りスイッチ、３９：測定開始スイッチ、４０：測定完了スイッチ、４１：データ保存スイッチ、４２：再表示スイッチ、４３：便器装置、４４：計重器、４５：計重部、４６：受け皿、４７：重量測定手段、４８：受け皿昇降手段、４９：支持部材、５０：圧力検出器、５１：シール部材、５２：支持軸、５３：収納箱、５４：つば部、５５：取付け部材、５６：ねじ、５７：便器装置、５８：便受け部、５９：排出口、６０：カバー部材、６０ａ：排出部、６１：和式便器、６２：受け皿、６３：計重器、６４：導水口、６５：導水配管、６６：排出配管、６７：計重部、６８：操作部、６９：ピット、７０：便器装置、７１：洋式便器、７２：便座、７３：第１の計重器、７４：第２の計重器、７５：制御手段、７６：圧力検知部、７７：便蓋、７８：取付け部、７９：計測台、８０：第２の重量換算手段、８１：測定開始スイッチ、８２、８３：信号ケーブル、８４：測定完了スイッチ、８５：表示器、８６：電源入りスイッチ、８７：電源切りスイッチ、８８：データ保存スイッチ、８９：再表示スイッチ、９０：便器装置、９１：和式便器、９２：第１の計重器、９３：第２の計重器、９４：制御手段、９５：便受け部、９６、９７：計測台、９８、９９：重量換算手段、１００：導水口、１０１：導水配管、１０２：排出口、１０３：カバー部材、１０３ａ：排出部、１０４：排出配管